(57)【要約】【課題】  デッキの勾配を無くすることができ、また、有っても僅かな勾配において良好な排水が可能となるオープンデッキの排水装置を提供する。【解決手段】  左右両側に配列される支柱の左右間に梁を架設し、梁の上にそれと直交する大引きを配列し、大引きの上にそれと直交するデッキ材を配列してビス止めすることにより、デッキ材とデッキ材との組み合わせにより防水デッキが構成されると同時にその長手方向に走る排水スリットが配列されるオープンデッキの排水装置において、デッキ材の長手方向の両端としてのデッキの左右両側端に、排水スリットからの排水を受ける第１雨樋を設け、前後少なくとも一端に第１雨樋からの排水を受ける第２雨樋を設け、第２雨樋に縦樋を設けた。【選択図】    図１
2006214183.tif 000002
【特許請求の範囲】
【請求項１】
左右両側に配列される支柱の左右間に梁を架設し、梁の上にそれと直交する大引きを配列し、大引きの上にそれと直交するデッキ材を配列してビス止めすることにより、デッキ材とデッキ材との組み合わせにより防水デッキが構成されると同時にその長手方向に走る排水スリットが配列されるオープンデッキの排水装置において、デッキ材の長手方向の両端としてのデッキの左右両側端に、排水スリットからの排水を受ける第１雨樋を設け、前後少なくとも一端に第１雨樋からの排水を受ける第２雨樋を設け、第２雨樋に縦樋を設けたことを特徴とするオープンデッキの排水装置。
【請求項２】
大引きについて、デッキ材が上面にビス止めされるよう矩形断面の中空に形成するとともに、その左右両側面の下端に梁の上にビス止めするための座片を突設し、この大引きの小口を、第１雨樋の小口とともに排水可能に第２雨樋の中に臨ませたことを特徴とする請求項１記載のオープンデッキの排水装置。
【発明の詳細な説明】
【技術分野】
【０００１】
この発明は、車庫や物置等として使用する簡易な建物の屋根をアルミやプラスチックの押出形材からなる板状のデッキ材を敷設して平らに組み立てることにより、別庭のようにも使用し得るようにしたオープンデッキの排水装置に関する。
【背景技術】
【０００２】
敷地が限られた住宅事情から、車庫や物置の上を恰も見晴らしの良い別の庭のように利用する希望が多く、その場合には、凹凸のある折板屋根であると平坦さに欠けその利用に適しないため、従来、アルミ押出形材からなる板状のデッキ材で全体的に平らな床状に葺かれるとともに、雨水が床面に溜まらないように排水にも特に考慮される屋根兼用のオープンデッキが提供される。
【０００３】
デッキ材には、一般的に丈夫なアルミ押出形材が使用され、或いは表面を摩擦の比較的大きいプラスチックの押出形材で被覆した複合部材が使用される。また、デッキ材には、一端に排水凹溝を設け他端にそれに覆い係る掛止片が形成され、隣接するデッキ材が排水凹溝の外側壁と掛止片との係合により僅かな隙間の排水スリットを有する防水構造の平坦なデッキが構成される。この場合、排水スリットの下の排水凹溝により排水がなされるが、デッキ材の中央部に凹溝を形成し、それにより排水がなされるようにすることもある。いずれにしても、デッキ上の排水はデッキ材の長手方向となるが、デッキは人が乗り降りしたり物を置いたりする箇所であるので、勾配が無いことが望ましく、あっても極わずかであることが望ましい。
【０００４】
従来、デッキにはその長手方向へやゝ勾配となる傾斜が設けられ、傾斜する一端に雨樋が設けられていた。例えば、車庫の場合であると、車が出入りする方向の前方に傾斜させ、前端の軒先に雨樋を設けていた。また、雨樋には一端に排水口を設け、それに縦樋が連結されていた。
【発明の開示】
【発明が解決しようとする課題】
【０００５】
この発明は、上記のような実情に鑑みて、デッキの勾配を無くすることができ、また、有っても僅かな勾配において良好な排水が可能となるオープンデッキの排水装置を提供することを課題とした。
【課題を解決するための手段】
【０００６】
この発明は、上記のような実情に鑑みて、左右両側に配列される支柱の左右間に梁を架設し、梁の上にそれと直交する大引きを配列し、大引きの上にそれと直交するデッキ材を配列してビス止めすることにより、デッキ材とデッキ材との組み合わせにより防水デッキが構成されると同時にその長手方向に走る排水スリットが配列されるオープンデッキの排水装置において、デッキ材の長手方向の両端としてのデッキの左右両側端に、排水スリットからの排水を受ける第１雨樋を設け、前後少なくとも一端に第１雨樋からの排水を受ける第２雨樋を設け、第２雨樋に縦樋を設けたことを特徴とするオープンデッキの排水装置を提供する。
【０００７】
オープンデッキの排水装置を上記のように構成したから、デッキの上に降った雨は排水スリットから下へ抜けてデッキ材を伝って左右両側の第１雨樋に排水され、第１雨樋から前後少なくとも一端の第２雨樋に排出されて、そこから縦樋を伝って大地に排水されることになる。
【発明の効果】
【０００８】
以上説明したように、この発明の排水装置によれば、デッキ上に降った雨水は左右に分けることにより効率的に排出されるため、デッキに安全性や安定性に欠けることになる傾斜を設ける必要がなく、また、第１雨樋からの排水を受ける第２雨樋に縦樋を設けたから、デッキからの排水の近くに雨樋がある場合とは違って、ゴミにより縦樋が詰まり難く、縦樋が詰まらない円滑な排水をなすことができる。
【０００９】
また、大引きについて、デッキ材が上面にビス止めされるよう矩形断面の中空に形成するとともに、その左右両側面の下端に梁の上にビス止めするための座片を突設し、この大引きの小口を、第１雨樋の小口とともに排水可能に第２雨樋の中に臨ませたときには（請求項２）、デッキ材をビス止めする孔から大引きの中空内に雨水が浸入したとしても、これも第２雨樋を通して縦樋から排水されるため、雨漏り防止に万全を期しうる。
【発明を実施するための最良の形態】
【００１０】
次に、この発明の実施の形態を図面に基づいて説明する。
【００１１】
図面は、一実施の形態を示したものである。そのオープンデッキＤは屋根兼用であって、車庫Ｐの屋根として実施したもので、自動車の出入口の左右両側の位置に沿ってそれぞれ支柱３，３，３が配列されるとともに、それぞれの配列の上端に梁５，５が架設され、梁５，５，５の上に大引き７を架設し、大引き７，７，７の上に多数本のデッキ材９，９，・・が配列される。
【００１２】
デッキ材９はこの配列から長手方向が車庫Ｐの左右方向となり、前後に隣接したデッキ材９，９が相互に断面形状において係合され、これによって、左右方向に長い排水スリット１１，１１，・・が開口される。そして、左右にその排水を受ける第１雨樋１２，１２を設け、前端の軒先に第２雨樋１３が設けられ、第２雨樋１３に縦樋１６が連結される。なお、この第１雨樋１２，１２および第２雨樋１３は、周囲の化粧側板１４によって外から見えないように被覆される。また、図示はしないが、車庫Ｐには、オープンデッキＤに登る階段が設けられ、また、オープンデッキＤの周囲には安全柵が設けられる。
【００１３】
デッキ材９は、アルミ押出形材からなるデッキ材本体９ａと、プラスチックの被覆材９ｂとからなる複合部材として構成されている。デッキ材本体９ａの形状は板状の中空体であって、一端に排水凹溝１１ａを形成し、他端にそれに係る逆Ｌ字形の掛止片１５を突設したもので、中央部に大引き７にビス１９で固着するための止め溝１７が設けられる。また、掛止片１５の突設側の端の下端に段差凹部２１を設け、他端には段差凹部２１に差し込まれる突片２３を形成し、その突片２３にタイト材を嵌着する蟻溝が形成され、こうして雨漏り防止に万全の対策はなされている。また、被覆材９ｂは、排水凹溝１１ａを除く箇所を被覆するよう逆チャンネル形に形成される。
【００１４】
大引き７は、矩形断面の中空体であって、その両側面の下端に梁５にビス２６，２６で止めるめする座片２５，２５を突設し、突出中途に起立片２７，２７が突設される。大引き７には、デッキ材９がビス１９で止められる他、安全柵の脚の座板（図示省略）がビスで止められるため、ねじの通し孔や螺入孔から雨水が浸入することが考えられが、この大引き７は前端の第２雨樋１３に臨んでいるため、浸入により入った雨水は第２雨樋１３に排出される。この排出を確実にするために、後端は止水材３３により封じられる。
【００１５】
左右両第１雨樋１２，１２は、内側壁３５が外側壁３７よりも高く形成されるとともに、上端に屈折片３５ａを有する逆Ｌ字型であって、その側面に大引き７の起立片２７の上端に引っ掛かる係合片３７が突設される。また、外側壁３７の近傍以外の箇所において梁５とデッキ材９との間に挟まれることにより固定される。したがって、第１雨樋１２の取付けは至って容易であり、雨漏れの原因となるビス止めが不要となる。また、大引き７の一方の座片２５の先端部（起立片２７よりも先）が突入する段差凹欠部３９が形成され、そこにおいて大引き７がビス止２６で止められる。したがって、大引き７はビス止めが雨漏れの原因とならなく、大引き７内に進入した雨水は蒸発しない限り必ず第２雨樋１３に排出される。４０は第２雨樋１３の後端を封じる止水材である。
【００１６】
第２雨樋１３は、これも内側壁４１が外側壁４３よりも低く形成するとともに、上端に屈折片４５を設けて、そこで大引き７の座片２５の先端部（起立片２７よりも先）にビス４７で止められる。また、外側壁４３の上端には最も縁側のデッキ材本体９ａの排水凹溝１３の外側壁の上端に掛かる係止片４９と、化粧側板１４をビス止めする下地片５１とが二股に分けて突設される。また、第２雨樋１３の両端には止水材５０，５０が設けられる。
【図面の簡単な説明】
【００１７】
【図１】この発明の一実施の形態を示す車庫の斜視図である。
【図２】同車庫における屋根兼用のオープンデッキを示す平面図である。
【図３】図２のＸ部におけるＡ−Ａ線矢視の拡大断面図である。
【図４】Ｙ部におけるＢ−Ｂ線矢視の側面から見た拡大断面図である。
【図５】Ｚ部における側面から見た拡大断面図である。
【符号の説明】
【００１８】
Ｄ  オープンデッキ
３  支柱
５  梁
７  大引き
９  デッキ材
１１  排水スリット
１２  第１雨樋
１３  第２雨樋
１６  縦樋
１９  ビス
２５  座片
２６  ビス
【図１】
2006214183.tif 000003
【図２】
2006214183.tif 000004
【図３】
2006214183.tif 000005
【図４】
2006214183.tif 000006
【図５】
2006214183.tif 000007